(57)【要約】【課題】携帯情報端末及びネットワークサービスシステムと通信することができるアクティブ式読み書き器イヤホン及び当該イヤホンを用いた無線ガイドシステムを提供する。【解決手段】本発明に係るイヤホンは、音声コネクタユニットと、無線データ送受信ユニットと、記憶ユニットと、を備え、無線データ送受信ユニットは、観光地の各スポットの番号情報を取得し、記憶ユニットは、スポットの番号情報を格納し、音声コネクタユニットは、スポットの番号情報をモバイル端末に伝送する。【選択図】図１
2016127583.tif 000002
【特許請求の範囲】
【請求項１】
音声コネクタユニットと、無線データ送受信ユニットと、記憶ユニットと、を備えるイヤホンであって、
前記無線データ送受信ユニットは、観光地の各スポットの番号情報を取得し、前記記憶ユニットは、前記スポットの番号情報を格納し、前記音声コネクタユニットは、前記スポットの番号情報をモバイル端末に伝送することを特徴とするイヤホン。
【請求項２】
前記音声コネクタユニットは、ラインコントローラ型音声転送モジュールであり、前記イヤホンは、前記音声コネクタユニットを介して前記モバイル端末から電力を取得することを特徴とする請求項１に記載のイヤホン。
【請求項３】
前記音声コネクタユニットは、左チャンネル端子、右チャンネル端子及びマイク端子を含み、
前記イヤホンは、前記左チャンネル端子及び前記右チャンネル端子の内の１つを介して前記モバイル端末から電力を取得し、また、前記左チャンネル端子及び前記右チャンネル端子の内のもう１つを介して前記モバイル端末からのスポットを紹介するための音声信号を受信して、前記無線データ送受信ユニットに伝送し、前記無線データ送受信ユニットは、前記マイク端子を介して前記スポットの番号情報を前記モバイル端末に伝送することを特徴とする請求項２に記載のイヤホン。
【請求項４】
前記音声コネクタユニットは、ブルートゥース（登録商標）通信モジュールであり、前記無線データ送受信ユニットは、前記ブルートゥース(登録商標)通信モジュールを介して前記モバイル端末と通信することを特徴とする請求項１に記載のイヤホン。
【請求項５】
前記イヤホンは、電源ユニットをさらに備え、前記電源ユニットは、前記音声コネクタユニット、前記無線データ送受信ユニット及び記憶ユニットに電力を供給することを特徴とする請求項４に記載のイヤホン。
【請求項６】
前記無線データ送受信ユニットは、音声解析モジュール及び送受信モジュールを含み、前記音声解析モジュールは、前記モバイル端末からのアナログ音声信号を対応するバイナリデータ信号に変換し、且つ前記バイナリデータ信号を前記送受信モジュールに伝送し、
また、前記音声解析モジュールは、前記送受信モジュールからのバイナリデータ信号をアナログ音声信号に変換し、且つマイク端子を介して前記アナログ音声信号を前記モバイル端末に伝送し、
前記送受信モジュールは、アクティブ式２．４Ｇ読み書き器であり、且つネットワークサービスシステムと通信して、前記ネットワークサービスシステムから各スポットの番号情報を取得し、前記スポットの番号情報は、バイナリデータ信号であることを特徴とする請求項１に記載のイヤホン。
【請求項７】
前記イヤホンは、音声再生ユニットをさらに備え、前記音声再生ユニットは、前記音声コネクタユニットに電気的に接続されて、前記モバイル端末からの音声信号を再生することを特徴とする請求項１に記載のイヤホン。
【請求項８】
前記イヤホンは、唯一のＩＤ情報を有し、前記記憶ユニットは、前記イヤホンの唯一のＩＤ情報及び前記イヤホンが受信したスポットの番号情報を格納するために用いられることを特徴とする請求項１に記載のイヤホン。
【請求項９】
モバイル端末、ネットワークサービスシステム及び請求項１〜８の何れか１項に記載したイヤホンを備える無線ガイドシステムであって、
前記イヤホンは、前記ネットワークサービスシステムから観光地の各スポットの番号情報を取得し、且つ前記各スポットの番号情報を前記モバイル端末に伝送することを特徴とする無線ガイドシステム。
【請求項１０】
前記モバイル端末は、ガイド管理モジュールを備え、前記ガイド管理モジュールは、前記モバイル端末が受信したスポットの番号情報に基づいて、前記スポットの番号情報に対応するスポットの紹介文、紹介音声又は紹介映像等の情報をエクスポートすることを特徴とする請求項９に記載の無線ガイドシステム。
【請求項１１】
前記ネットワークサービスシステムは、センターサーバと、複数のＲＦ読み書き器と、複数の無線周波タグと、を含み、
前記センターサーバは、前記観光地における各スポットの番号情報及び各スポットの番号情報に対応するスポットの紹介文、紹介音声又は紹介映像等の情報を格納することを特徴とする請求項９に記載の無線ガイドシステム。
【請求項１２】
複数の前記ＲＦ読み書き器は、互いに直列接続するように前記観光地の各スポット内に設けられ、且つ前記センターサーバと電気的に接続され、
また、複数の前記ＲＦ読み書き器は、前記無線データ送受信ユニットと通信して、前記イヤホンの唯一のＩＤ情報を取得し、
複数の前記無線周波タグは、前記スポットの番号情報を格納するために用いられることを特徴とする請求項１１に記載の無線ガイドシステム。
【請求項１３】
複数の前記ＲＦ読み書き器は、取得した前記イヤホンのＩＤ情報を前記センターサーバに伝送し、前記センターサーバは、前記前記イヤホンのＩＤ情報の数量に基づいて対応するスポットの観光客の人数を統計し、且つ統計結果を前記モバイル端末にフィードバックすることを特徴とする請求項１２に記載の無線ガイドシステム。
【発明の詳細な説明】
【技術分野】
【０００１】
本発明は、無線通信技術に関し、特にイヤホン及びこのイヤホンを用いた無線ガイドシステムに関するものである。
【背景技術】
【０００２】
近年、多くの人々が休暇を利用して、家族、同僚又は友達と旅行に行くなどして休みを楽しみ、交流を深めたり、日常のストレスを発散したりする。従って、特に休日、祝日には、各地の観光地には多くの観光客が訪れる。
【０００３】
現在、殆どの観光地が、ガイドによる解説及び紙の地図を利用して、観光客を案内している。しかし、ガイドによる解説では、同じ観光スポットに他のガイドが居合わせた際に互いの解説が交ざりあうため、観光客がよく聞き取れない場合がある。また、紙の地図を利用した場合、観光客は観光地の特徴を詳しく理解することができない。また、既存のガイドモードでは、観光客は、各観光スポットにおける人の流れに対する統計情報を適時に得ることができない。従って、観光客が人気スポットに過度に集中するため、大混雑を招き易い。
【発明の概要】
【発明が解決しようとする課題】
【０００４】
そこで、本発明は上記の問題点を考慮してなされたものであり、携帯情報端末及びネットワークサービスシステムと通信することができるアクティブ式読み書き器イヤホン及び当該イヤホンを用いた無線ガイドシステムを提供することを目的とする。
【課題を解決するための手段】
【０００５】
上記の課題を解決するために、本発明に係るイヤホンは、音声コネクタユニットと、無線データ送受信ユニットと、記憶ユニットと、を備え、無線データ送受信ユニットは、観光地の各スポットの番号情報を取得し、記憶ユニットは、スポットの番号情報を格納し、音声コネクタユニットは、スポットの番号情報をモバイル端末に伝送する。
【０００６】
また、上記の課題を解決するために、本発明に係る無線ガイドシステムは、モバイル端末、ネットワークサービスシステム及びイヤホンを備え、イヤホンは、音声コネクタユニットと、無線データ送受信ユニットと、記憶ユニットと、を備え、無線データ送受信ユニットは、観光地の各スポットの番号情報を取得し、記憶ユニットは、スポットの番号情報を格納し、音声コネクタユニットは、スポットの番号情報をモバイル端末に伝送する。
【発明の効果】
【０００７】
従来の技術と異なり、本発明の無線ガイドシステムは、イヤホンを介してネットワークサービスシステムから観光地の異なるスポットの紹介情報を自動的に取得すると共に、観光地の各スポットの人数を統計し、且つ人数の統計結果を観光客にフィードバックする。これにより、観光客は、観光地の各スポットの人数に基づいて、適切な観光コースを選択することができるため、人気スポットに観光客が過度に集中して混雑するのを防止することができる。
【図面の簡単な説明】
【０００８】
【図１】図１は本発明の第一実施形態に係る無線ガイドシステムの機能モジュール及び動作原理を示すブロック図である。
【図２】図２は本発明の第二実施形態に係る無線ガイドシステムの機能モジュール及び動作原理を示すブロック図である。
【発明を実施するための形態】
【０００９】
本発明の第一実施形態に係る無線ガイドシステム１００は、観光客の観光地でのセルフガイドに用いられる。無線ガイドシステム１００は、観光地内における各スポットの人数を統計した後、この統計結果を観光客にフィードバックすることによって、観光客をガイドする。これにより、観光客は、各スポットの人数に基づいて合理的な観光コースを選択することができる。
【００１０】
図１に示すように、本発明の無線ガイドシステム１００は、イヤホン１０、モバイル端末３０及びネットワークサービスシステム５０を備える。イヤホン１０は、ネットワークサービスシステム５０と通信して、スポットの番号情報を取得し、且つ当該番号情報をモバイル端末３０に伝送する。モバイル端末３０は、観光地内のワイヤレスネットワークに繋がって、スポットの番号情報に基づいて、対応するスポットの紹介文字、音声又は映像等の情報を取得した後、イヤホン１０を利用して、紹介文字、音声又は映像等の情報を流す。
【００１１】
イヤホン１０は、有線イヤホンであり、音声コネクタユニット１１、音声再生ユニット１３、無線データ送受信ユニット１５及び記憶ユニット１６を含む。音声コネクタユニット１１は、ラインコントローラ型音声転送モジュールであり、モバイル端末３０に接続されて電力を取得すると共に、データの伝送を行う。具体的には、音声コネクタユニット１１は、左チャンネル端子１１１、右チャンネル端子１１３及びマイク端子１１５を含む。左チャンネル端子１１１及び右チャンネル端子１１３の内の１つは、モバイル端末３０からの特定周波数の音声信号を受信して動作電流を取得し、且つ当該動作電流を音声再生ユニット１３及び無線データ送受信ユニット１５に供給する。左チャンネル端子１１１及び右チャンネル端子１１３の中の内のもう１つは、モバイル端末３０からのスポットを紹介する音声信号を受信し、且つ当該音声信号を無線データ送受信ユニット１５に伝送する。マイク端子１１５は、無線データ送受信ユニット１５からのデータを受信し且つ当該データをモバイル端末３０に伝送する。無線データ送受信ユニット１５は、音声解析モジュール１５１及び送受信モジュール１５３を含む。音声解析モジュール１５１は、音声コネクタユニット１１が受信したモバイル端末３０からのアナログ音声信号を、対応するバイナリデータ信号に変換し、且つ当該バイナリデータ信号を送受信モジュール１５３に伝送する。また、音声解析モジュール１５１は、送受信モジュール１５３からのバイナリデータ信号をアナログ音声信号に変換し、且つマイク端子１１５を介して当該アナログ音声信号をモバイル端末３０に伝送する。送受信モジュール１５３は、ネットワークサービスシステム５０と通信して、ネットワークサービスシステム５０からスポットの番号情報を取得する。当該スポットの番号情報は、バイナリデータ信号である。本実施形態において、送受信モジュール１５３は、アクティブ式２．４Ｇ読み書き器である。記憶ユニット１６は、イヤホン１０の唯一のＩＤ情報及びイヤホン１０が受信したスポットの番号情報を格納するために用いられる。
【００１２】
モバイル端末３０は、制御モジュール３１と、メモリモジュール３３と、イヤホン端子３５と、電源管理モジュール３７と、ガイド管理モジュール３９と、を備える。制御モジュール３１は、メモリモジュール３３、イヤホン端子３５、電源管理モジュール３７及びガイド管理モジュール３９をそれぞれ制御する。メモリモジュール３３は、前記スポットの番号情報及び対応するスポットの紹介文字、紹介音声又は紹介映像等の情報を格納するために用いられる。イヤホン端子３５は、イヤホン１０に電気的に接続されて、前記スポットの紹介音声をイヤホン端子３５を介してイヤホン１０に伝送すると共に、マイク端子１１５からのアナログ音声信号を受信する。電源管理モジュール３７は、モバイル端末３０を制御して、モバイル端末３０により特定周波数の音声信号を生成する。また、電源管理モジュール３７は、イヤホン端子３５によって前記特定周波数の音声信号を音声コネクタユニット１１に伝送して、前記特定周波数の音声信号を介して音声再生ユニット１３、無線データ送受信ユニット１５及び記憶ユニット１６に給電する。ガイド管理モジュール３９は、ユーザインターフェイスを提供し、モバイル端末３０を使用する観光客の設定によって、スポットの番号情報に対応するスポットの紹介文字、紹介音声又は紹介映像等を自動的にエクスポートするか、又は観光客が入力した指令に基づいて、スポットの番号情報に対応するスポットの紹介文、紹介音声又は紹介映像等をエクスポートする。また、ガイド管理モジュール３９は、ガイドマップを表示し、且つイヤホン１０が取得したスポットの番号情報に基づいて、前記ガイドマップ上にモバイル端末３０の位置を標示する。これにより、モバイル端末３０を使用する観光客は、観光地内における現在位置を確定することができる。
【００１３】
本実施形態において、電源管理モジュール３７及びガイド管理モジュール３９は、プログラムであり、且つメモリ３３の中に格納されて、制御モジュール３１により実行される。制御モジュール３１は、イヤホン端子３５から伝送されてきたスポットの番号情報を含む音声信号を受信すると、メモリ３３を制御して対応するスポットの紹介文字、紹介音声又は紹介映像等の情報をイヤホン端子３５及び／又はガイド管理モジュール３９に伝送して、観光客に対応するスポット情報を再生及び／又は表示する。
【００１４】
ネットワークサービスシステム５０は、センターサーバ５１と、複数の検索端末５３と、複数のＲＦ読み書き器５５と、複数の無線周波タグ５７と、を含む。センターサーバ５１は、観光地における各スポットの番号情報と、電源管理モジュール３７及びガイド管理モジュール３９のアプリケーションのインストールパッケージと、各スポットの番号情報に対応するスポットの紹介文字、紹介音声又は紹介映像等の情報と、を格納する。これと同時に、センターサーバ５１は、観光地内における各スポットの人数を統計して、無線ネットワークを介して統計結果をモバイル端末３０にフィードバックする。複数の検索端末５３は、観光地の各スポット内に設けられ、且つセンターサーバ５１と電気的に接続されて、観光客が入力したスポット番号に基づいて、対応するスポットの紹介文、紹介音声又は紹介映像等の情報を検索する。複数のＲＦ読み書き器５５は、観光地の各スポット内において相互に直列接続するように配置され、且つセンターサーバ５１と電気的に接続されている。複数の無線周波タグ５７は、観光地の各スポット内に設けられ、且つ対応するスポットの番号情報を格納している。
【００１５】
本実施形態において、各ＲＦ読み書き器５５は、アクティブ式２．４Ｇ読み書き器であり、ネットワーク又はシリアルポート等によってセンターサーバ５１に電気的に接続されて、イヤホン１０と通信して、観光地内のあらゆるイヤホン１０のＩＤ情報を読み取り、且つネットワーク等によって各イヤホン１０のＩＤ情報をセンターサーバ５１に伝送する。センターサーバ５１は、取得したイヤホン１０のＩＤ情報に関するデータに基づいて、対応するスポットの観光客の人数を統計し、且つ無線ネットワークを介して人数の統計結果をモバイル端末３０にフィードバックする。
【００１６】
また、観光地の各スポットに、スポットの番号情報を含む二次元コードを設けてもよい。観光客がモバイル端末３０を利用して二次元コードを走査すると、モバイル端末３０は、ネットワークを介して当該二次元コード情報をセンターサーバ５１に伝送する。センターサーバ５１は、二次元コード情報を収集して、観光地内の各スポットの人数を統計し、且つ無線ネットワークを介して統計結果をモバイル端末３０にフィードバックする。
【００１７】
複数の無線周波タグ５７は、２．４Ｇタグであり、イヤホン１０と通信して、対応するスポットの番号情報をイヤホン１０に伝送する。具体的には、複数の無線周波タグ５７は、送受信モジュール１５３により読み取られる。
【００１８】
図２に示すように、本発明の第二実施形態に係る無線ガイドシステム２００は、イヤホン２１０、モバイル端末３０及びネットワークサービスシステム５０を含む。第二実施形態に係る無線ガイドシステム２００は、第一実施形態に記載した無線ガイドシステム１００と以下の点が違う。具体的には、第二実施形態において、イヤホン２１０は、ブルートゥース（登録商標）イヤホンであり、且つ音声コネクタユニット２１１と、音声再生ユニット２１３と、無線データ送受信ユニット２１５及び電源ユニット２１７を含む。音声コネクタユニット２１１は、ブルートゥース（登録商標）通信モジュールである。無線データ送受信ユニット２１５は、音声コネクタユニット２１１を介してモバイル端末３０と通信する。電源ユニット２１７は、音声コネクタユニット２１１、音声再生ユニット２１３及び無線データ送受信ユニット２１５に電力を供給する。これに相応して、モバイル端末３０は、第一実施形態に記載した電源管理モジュール３７を備えず、イヤホン２１０に電力を供給しない。
【００１９】
要するに、本発明の無線ガイドシステム１００、２００は、イヤホン１０、２１０に無線データ送受信ユニット１５、２１５をそれぞれ設けて、無線データ送受信ユニット１５、２１５に、音声コネクタユニット１１、２１１を介してモバイル端末３０と通信させる。これにより、観光客は、旅行する過程において、無線データ送受信ユニット１５、２１５を介して観光地の各スポットに設けられている無線周波タグ５７を容易に読み取って、スポットの番号情報を取得し、且つガイド管理モジュール３９を介して対応するスポットの紹介文、紹介音声又は紹介映像等の情報を自動的にエクスポートして、イヤホン１０、２１０を介してそれを再生することができる。つまり観光客は、本発明の無線ガイドシステム１００、２００を使用することにより、同一スポットにいる複数のガイドの解説が交ざることに起因して、自分のガイドの解説をよく聞き取れないという問題を避けることができる。
【００２０】
また、本発明の無線ガイドシステム１００、２００は、観光地の各スポットに設けられたＲＦ読み書き器５５を介して各スポットの人数を統計し、且つ統計の結果を観光客にフィードバックする。これにより、観光客は、観光地の各スポットの人数に基づいて、適切な観光コースを選択することができるため、人気スポットに観光客が過度に集中して混雑するのを防止することができる。
【符号の説明】
【００２１】
１０、２１０  イヤホン
１００  無線ガイドシステム
１１、２１１  音声コネクタユニット
１１１  左チャンネル端子
１１３  右チャンネル端子
１１５  マイク端子
１３、２１３  音声再生ユニット
１５、２１５  無線データ送受信ユニット
１５１  音声解析モジュール
１５３  送受信モジュール
１６  記憶ユニット
３０  モバイル端末
３１  制御モジュール
３３  メモリモジュール
３５  イヤホン端子
３７  電源管理モジュール
３９  ガイド管理モジュール
５０  ネットワークサービスシステム
５１  センターサーバ
５３  検索端末
５５  ＲＦ読み書き器
５７  無線周波タグ
２００  無線ガイドシステム
２１７  電源ユニット
【図１】
2016127583.tif 000003
【図２】
2016127583.tif 000004